(57)【要約】【課題】基地局の増幅器から不要な信号が出力されるのを防止しつつ当該増幅器が故障するのを抑制することが可能な技術を提供することを目的とする。【解決手段】基地局１は、バックアップ電源１２と、電圧検出部１３と、送信信号を生成する送信信号生成部１６ｂと、デジタル処理部１５１と、Ｄ／Ａ変換器１５３と、増幅器１５４ａを有する無線部１５４とを備える。デジタル処理部１５１は、デジタルフィルタ１６６を含み、電圧検出部１３においてバックアップ電圧がしきい値より低くなったことが検出されると、デジタルフィルタ１６６への送信信号の入力を停止する。【選択図】図１
2011124888.tif 000002
【特許請求の範囲】
【請求項１】
外部電源からの電力が遮断された場合に電力供給源となるバックアップ電源を備える基地局であって、
前記バックアップ電源のバックアップ電圧がしきい値より低くなったことを検出する電圧検出部と、
デジタル形式の送信信号を生成する送信信号生成部と、
前記送信信号に対してデジタル処理を行って出力するデジタル処理部と、
前記デジタル処理部から出力される前記送信信号をアナログ信号に変換するＤ／Ａ変換器と、
前記アナログ信号を増幅する増幅器を有し、当該増幅器から出力される信号を無線送信する無線部と
を備え、
前記デジタル処理部は、
前記送信信号にフィルタ処理を行うフィルタを含み、
前記電圧検出部において前記バックアップ電圧が前記しきい値より低くなったことが検出されると、前記フィルタへの前記送信信号の入力を停止する、基地局。
【請求項２】
請求項１に記載の基地局であって、
前記デジタル処理部は、
前記フィルタの前段において、前記送信信号に対してデジタル処理を行う少なくとも１つの処理部を含み、
前記電圧検出部において前記バックアップ電圧が前記しきい値より低くなったことが検出されると、前記フィルタの直前において当該フィルタへの前記送信信号の入力を停止する、基地局。
【請求項３】
請求項１及び請求項２のいずれか一つに記載の基地局であって、
不揮発性の記憶部と、
前記電圧検出部において前記バックアップ電圧が前記しきい値より低くなったことが検出されると、データを前記記憶部に記憶させるバックアップ動作を行うバックアップ処理部と
をさらに備え、
前記デジタル処理部は、
前記バックアップ処理部の前記バックアップ動作と並行して、前記フィルタへの前記送信信号の入力を停止する、基地局。
【請求項４】
外部電源からの電力が遮断された場合に電力供給源となるバックアップ電源を備える基地局であって、
前記バックアップ電源のバックアップ電圧がしきい値より低くなったことを検出する電圧検出部と、
デジタル形式の送信信号を生成する送信信号生成部と、
前記送信信号に対してデジタル処理を行って出力するデジタル処理部と、
前記デジタル処理部から出力される前記送信信号をアナログ信号に変換するＤ／Ａ変換器と、
前記アナログ信号を増幅する増幅器を有し、当該増幅器から出力される信号を無線送信する無線部と
を備え、
前記デジタル処理部は、前記送信信号にフィルタ処理を行うフィルタを含み、
前記送信信号生成部は、前記電圧検出部において前記バックアップ電圧が前記しきい値より低くなったことが検出されると、前記送信信号を生成しないことにより、前記フィルタへの前記送信信号の入力を停止する、基地局。
【発明の詳細な説明】
【技術分野】
【０００１】
本発明は、外部電源からの電力が遮断された場合に電力供給源となるバックアップ電源を備える基地局に関する。
【背景技術】
【０００２】
従来から、落雷等によって外部電源からの電力が急に遮断された際に発生する不具合を軽減する技術が提案されている。例えば、特許文献１には、大容量のコンデンサがバックアップ電源として設けられ、電源が切断された直後には、当該コンデンサに蓄電されているバックアップ電圧を用いることによって必要なデータを記憶する技術が開示されている。
【先行技術文献】
【特許文献】
【０００３】
【特許文献１】特開２００７−３２８４３８号公報
【発明の概要】
【発明が解決しようとする課題】
【０００４】
無線通信システムで使用される基地局においても、外部電源からの電力が遮断されると、バックアップ電源のバックアップ電圧により動作するものがある。この基地局において、バックアップ電圧が低下すると、送信信号を増幅する増幅器の電源電圧が低くなり、当該増幅器から波形が歪んだ信号が出力されることがある。その結果、基地局はスプリアスを発生してしまう。また、増幅器の電源電圧が低くなると、当該電源電圧以上の信号が増幅器に入力される可能性があり、増幅器が故障する可能性がある。
【０００５】
そこで、本発明は、上記の点に鑑みてなされたものであり、基地局の増幅器から不要な信号が出力されるのを防止しつつ当該増幅器が故障するのを抑制することが可能な技術を提供することを目的とする。
【課題を解決するための手段】
【０００６】
上記課題を解決するため、本発明に係る基地局は、外部電源からの電力が遮断された場合に電力供給源となるバックアップ電源を備える基地局であって、前記バックアップ電源のバックアップ電圧がしきい値より低くなったことを検出する電圧検出部と、デジタル形式の送信信号を生成する送信信号生成部と、前記送信信号に対してデジタル処理を行って出力するデジタル処理部と、前記デジタル処理部から出力される前記送信信号をアナログ信号に変換するＤ／Ａ変換器と、前記アナログ信号を増幅する増幅器を有し、当該増幅器から出力される信号を無線送信する無線部とを備え、前記デジタル処理部は、前記送信信号にフィルタ処理を行うフィルタを含み、前記電圧検出部において前記バックアップ電圧が前記しきい値より低くなったことが検出されると、前記フィルタへの前記送信信号の入力を停止する。
【０００７】
また、本発明に係る基地局の一態様では、前記デジタル処理部は、前記フィルタの前段において、前記送信信号に対してデジタル処理を行う少なくとも１つの処理部を含み、前記電圧検出部において前記バックアップ電圧が前記しきい値より低くなったことが検出されると、前記フィルタの直前において当該フィルタへの前記送信信号の入力を停止する。
【０００８】
また、本発明に係る基地局の一態様では、不揮発性の記憶部と、前記電圧検出部において前記バックアップ電圧が前記しきい値より低くなったことが検出されると、データを前記記憶部に記憶させるバックアップ動作を行うバックアップ処理部とをさらに備え、前記デジタル処理部は、前記バックアップ処理部の前記バックアップ動作と並行して、前記フィルタへの前記送信信号の入力を停止する。
【０００９】
また、上記課題を解決するため、本発明に係る基地局は、外部電源からの電力が遮断された場合に電力供給源となるバックアップ電源を備える基地局であって、前記バックアップ電源のバックアップ電圧がしきい値より低くなったことを検出する電圧検出部と、デジタル形式の送信信号を生成する送信信号生成部と、前記送信信号に対してデジタル処理を行って出力するデジタル処理部と、前記デジタル処理部から出力される前記送信信号をアナログ信号に変換するＤ／Ａ変換器と、前記アナログ信号を増幅する増幅器を有し、当該増幅器から出力される信号を無線送信する無線部とを備え、前記デジタル処理部は、前記送信信号にフィルタ処理を行うフィルタを含み、前記送信信号生成部は、前記電圧検出部において前記バックアップ電圧が前記しきい値より低くなったことが検出されると、前記送信信号を生成しないことにより、前記フィルタへの前記送信信号の入力を停止する。
【発明の効果】
【００１０】
本発明によれば、増幅器から不要な信号が出力されることを抑制することができるとともに、当該増幅器が故障するのを抑制することができる。
【図面の簡単な説明】
【００１１】
【図１】実施の形態に係る基地局の構成を示すブロック図である。
【図２】実施の形態に係る基地局の電圧の推移を示す図である。
【図３】実施の形態に係る基地局の構成を示すブロック図である。
【図４】実施の形態に係る基地局の動作を示すフローチャートである。
【図５】実施の形態に係る基地局の構成を示すブロック図である。
【図６】実施の形態に係る基地局の構成を示すブロック図である。
【図７】実施の形態に係る基地局の構成を示すブロック図である。
【発明を実施するための形態】
【００１２】
図１は本発明の実施の形態に係る基地局１の構成を示す図である。本実施の形態に係る基地局１は、整流回路１１と、バックアップ電源１２と、電圧検出部１３と、記憶部１４と、通信部１５と、これらを統括的に制御する制御部１６とを備える。
【００１３】
制御部１６は、例えば、ＣＰＵ（Central Processing Unit）及びＤＳＰ（Digital Signal Processor）などから構成されており、バックアップ処理部１６ａ及び送信信号生成部１６ｂを機能ブロックとして有する。バックアップ処理部１６ａは後述のバックアップ動作を行い、送信信号生成部１６ｂは、デジタル形式の送信信号を生成する。記憶部１４は、不揮発性の記憶装置、例えば、ハードディスクである。
【００１４】
外部電源として用いられる交流電源６０は、基地局１に電力を供給している。基地局１は、この電力を用いて、通信部１５と通信端末との間で例えばＯＦＤＭ（Orthogonal Frequency Division Multiplexing）方式の無線通信を行う。これにより、基地局１は、通信端末とアナログ形式の信号を送受信する。
【００１５】
通信部１５は、通信端末から無線送信されてくるアナログ形式の信号を受信する。そして、通信部１５は、アナログ形式の受信信号を、制御部１６において利用可能なデジタル形式の受信信号に変換し、当該デジタル形式の受信信号を制御部１６に出力する。
【００１６】
制御部１６では、送信信号生成部１６ｂがデジタル形式の送信信号を生成する。通信部１５は、送信信号生成部１６ｂで生成されたデジタル形式の送信信号を、通信端末において受信可能なアナログ形式の送信信号に変換し、それを通信端末に無線送信する。
【００１７】
整流回路１１及びバックアップ電源１２は、接続点Ａにおいて互いに接続されている。接続点Ａの電圧は、電圧検出部１３、記憶部１４、通信部１５及び制御部１６のそれぞれに供給され、基地局１内部の各構成要素の電源電圧となる。交流電源６０から整流回路１１に電力が供給されると、整流回路１１は、当該電力に基づいて直流電圧を生成して、接続点Ａに出力する。通信部１５及び制御部１６は、整流回路１１で生成された電圧を用いて、通信端末との通信を行う。
【００１８】
バックアップ電源１２は、コンデンサなどから構成されており、整流回路１１が接続点Ａに電圧を出力している場合には、整流回路１１からの電圧を蓄電する。そして、交流電源６０から整流回路１１に電力が遮断されたことにより、整流回路１１が接続点Ａに電圧を出力しなくなった場合には、バックアップ電源１２は、交流電源６０に代わる電力供給源となり、蓄電した電圧をバックアップ電圧として接続点Ａに出力する。ここでいうバックアップ電圧とは、基地局１に交流電源６０などの外部電源が供給されなくなった際に、基地局１が、所定の動作、例えば、必要なデータを記憶部１４に記憶するバックアップ動作や、送信信号の送信を停止する送信停止動作を行うために用いる電圧である。バックアップ電圧が接続点Ａに出力されると、バックアップ電圧が、電圧検出部１３、記憶部１４、通信部１５及び制御部１６に対して供給される。制御部１６は、このバックアップ電圧を用いて、必要なデータを記憶部１４に記憶するバックアップ動作を行う。また、通信部１５は、バックアップ電圧を用いて、基地局１の送信信号の送信を停止する送信停止動作を行う。なお、この送信停止動作とバックアップ動作については後で詳細に説明する。
【００１９】
図２は、交流電源６０から基地局１に電力が供給されている状態から、当該電力の供給が停止する状態となる際に、接続点Ａの電圧が変化する様子の一例を示す図である。図２に示される時刻Ｔ１は、落雷などが発生して、交流電源６０から基地局１への電力の供給が停止した時刻を示す。
【００２０】
時刻Ｔ１前では、交流電源６０から基地局１に電力が供給されているため、接続点Ａの電圧は高い電圧で安定する。その後、時刻Ｔ１において交流電源６０からの電力の供給が停止すると、接続点Ａの電圧は、バックアップ電源１２のバックアップ電圧となる。時刻Ｔ１以降、バックアップ電圧（接続点Ａの電圧）は、通信部１５及び制御部１６等の動作に用いられたり、自然放電したりするため、時間の経過とともに除々に低下していく。
【００２１】
電圧検出部１３は、接続点Ａの電圧がしきい値Ｖｔｈまで低下したことを検出する。つまり、電圧検出部１３は、接続点Ａの電圧がしきい値Ｖｔｈ以下になったことを検出する。このしきい値Ｖｔｈは、整流回路１１が生成する直流電圧よりも低く、かつ基地局１内部の各構成要素が正常動作可能な電圧（以下、「最低動作電圧Ｖｍｉｎ」と呼ぶ）よりも高く設定される。交流電源６０から基地局１への電力の供給が停止した場合には、接続点Ａの電圧はバックアップ電圧となるため、この場合には、電圧検出部１３は、バックアップ電圧がしきい値以下になったことを検出することになる。電圧検出部１３は、接続点Ａの電圧がしきい値以下になったことを検出すると、通信部１５及び制御部１６に対して、検出信号を出力する。
【００２２】
図２に示される時刻Ｔ２は、時刻Ｔ１以降、時間とともに低下し続けている接続点Ａの電圧が、しきい値Ｖｔｈと等しくなる時刻を示す。図２の例では、電圧検出部１３は、時刻Ｔ２において検出信号をデジタル処理部１５１及び制御部１６及のそれぞれに出力することになる。
【００２３】
制御部１６は、電圧検出部１３からの検出信号が入力されると、バックアップ動作を行う。一方で、通信部１５は、電圧検出部１３からの検出信号が入力されると、送信停止動作を行う。図２の例では、時刻Ｔ２以降において、通信部１５及び制御部１６は、送信停止動作及びバックアップ動作をそれぞれ行うことになる。
【００２４】
図２に示される時刻Ｔ３は、時刻Ｔ２以降、時間とともに低下し続けている接続点Ａの電圧が、最低動作電圧Ｖｍｉｎと等しくなる時刻を示す。通信部１５及び制御部１６は、接続点Ａの電圧が最低動作電圧Ｖｍｉｎよりも低くなるまでに送信停止動作及びバックアップ動作をそれぞれ完了させる。
【００２５】
図１に戻って、通信部１５は、デジタル処理部１５１と、Ａ／Ｄ変換器１５２と、Ｄ／Ａ変換器１５３と、無線部１５４とを備えている。
【００２６】
無線部１５４は、アンテナ１５４ｂを用いて、通信端末から無線送信されるアナログ形式の信号を受信する。無線部１５４は、受信信号を増幅し、増幅後の受信信号に対してダウンコンバートを行って出力する。
【００２７】
Ａ／Ｄ変換器１５２は、無線部１５４から出力されるアナログ形式の受信信号をデジタル形式の受信信号に変換する。そして、Ａ／Ｄ変換器１５２は、生成したデジタル形式の受信信号をデジタル処理部１５１に出力する。
【００２８】
デジタル処理部１５１は、ＦＰＧＡ（Field Programmable Gate Array）などから構成されており、Ａ／Ｄ変換器１５２から出力されるデジタル形式の受信信号にＦＦＴ（Fast Fourier Transform）処理などのデジタル処理を行うことにより、制御部１６において利用可能なデジタル形式の受信信号に変換する。そして、デジタル処理部１５１は、当該変換後の受信信号を制御部１６に出力する。制御部１６は、デジタル処理部１５１から出力されるデジタル形式の受信信号を復調して、通信端末からの受信データを取得する。
【００２９】
また、デジタル処理部１５１は、制御部１６の送信信号生成部１６ｂで生成されたデジタル形式の送信信号に対してデジタル処理を行う。そして、デジタル処理部１５１は、デジタル処理した送信信号をＤ／Ａ変換器１５３に出力する。
【００３０】
Ｄ／Ａ変換器１５３は、デジタル処理部１５１から出力されるデジタル形式の送信信号をアナログ形式の送信信号に変換する。そして、Ｄ／Ａ変換器１５３は、生成したアナログ形式の送信信号を無線部１５４に出力する。
【００３１】
無線部１５４は、Ｄ／Ａ変換器１５３からのアナログ形式の送信信号に対し、アップコンバートを行う。そして、無線部１５４は、アップコンバート後の送信信号を増幅器１５４ａを用いて増幅し、増幅後の送信信号をアンテナ１５４ｂに入力する。これにより、アンテナ１５４ｂからは送信信号が無線送信される。
【００３２】
次に、制御部１６及びデジタル処理部１５１について詳細に説明する。まず、制御部１６について説明する。制御部１６では、送信信号生成部１６ｂが、通信端末からの受信データ等に基づいて、通信端末に送信すべきシリアル送信データを生成する。そして、送信信号生成部１６ｂは、シリアル送信データに直並列変換を行うことにより、パラレル送信データを生成する。送信信号生成部１６ｂは、パラレル送信データをＱＰＳＫ（Quadrature Phase Shift Keying）や１６ＱＡＭ（Quadrature Amplitude Modulation）などを用いて変調することにより、複数のＩ成分のサブキャリア信号（以下、「Ｉ成分サブキャリア信号群」と呼ぶ）、及び、複数のＱ成分のサブキャリア信号（以下、「Ｑ成分サブキャリア信号群」と呼ぶ）を生成する。送信信号生成部１６ｂは、Ｉ成分サブキャリア信号群及びＱ成分サブキャリア信号群を、デジタル形式の送信信号としてデジタル処理部１５１に出力する。
【００３３】
また、制御部１６に電圧検出部１３からの検出信号が入力されると、バックアップ処理部１６ａは、保存すべきデータ、例えば、無線通信の利用時間に応じた使用料金を示す課金情報を記憶部１４に記憶するバックアップ動作を行う。
【００３４】
次にデジタル処理部１５１について説明する。図３は、デジタル処理部１５１のうち、制御部１６から出力される送信信号に対してデジタル処理を行う部分（以下、「送信デジタル処理部１６１」と呼ぶ）の構成を示すブロック図である。図３に示すように、送信デジタル処理部１６１は、ＩＦＦＴ処理部１６２と、ＧＩ付加部１６３と、ウィンドウ整形部１６４と、送信信号停止回路１６５と、デジタルフィルタ１６６と、直交変調部１６７とを備える。
【００３５】
制御部１６からの送信信号、つまり、Ｉ成分サブキャリア信号群及びＱ成分サブキャリア信号群は、ＩＦＦＴ処理部１６２に入力される。ＩＦＦＴ処理部１６２は、Ｉ成分サブキャリア信号群に対してＩＦＦＴ（Inverse FFT）処理を行う。これにより、ＩＦＦＴ処理部１６２は、Ｉ成分サブキャリア群を合成して、Ｉ成分の時間領域の送信信号（以後、「Ｉ成分送信信号」と呼ぶ）を生成する。同様に、ＩＦＦＴ処理部１６２は、Ｑ成分サブキャリア群に対してＩＦＦＴ処理を行うことにより、Ｑ成分サブキャリア群を合成して、Ｑ成分の時間領域の送信信号（以後、「Ｑ成分送信信号」と呼ぶ）を生成する。そして、ＩＦＦＴ処理部１６２は、生成したＩ成分送信信号及びＱ成分送信信号をＧＩ付加部１６３に出力する。
【００３６】
ＧＩ付加部１６３は、シンボル間干渉を低減するために、入力されるＩ成分送信信号及びＱ成分送信信号のそれぞれの先頭にＧＩ（ガードインターバル）信号を付加する。このＧＩ信号は、それが付加される信号の時間的に後ろの部分のコピーである。ＧＩ付加部１６３は、ＧＩ信号付加後のＩ成分送信信号及びＱ成分送信信号をウィンドウ整形部１６４に出力する。
【００３７】
ウィンドウ整形部１６４は、ＧＩ付加部１６３から入力されるＩ成分送信信号及びＱ成分送信信号のそれぞれに対してウィンドウ整形処理を行う。このウィンドウ整形処理では、前後の２つのＩ成分送信信号の境界部分の波形が滑らかになるように当該波形が整形される。同様に、前後の２つのＱ成分送信信号の境界部分の波形が滑らかになるように、当該波形が整形される。これにより、基地局１から送信される不要波を低減することができる。ウィンドウ整形部１６４は、ウィンドウ整形処理後のＩ成分送信信号及びＱ成分送信信号を送信信号停止回路１６５に出力する。
【００３８】
送信信号停止回路１６５は、ウィンドウ整形部１６４からのＩ成分送信信号及びＱ成分送信信号をデジタルフィルタ１６６に出力する。そして、送信信号停止回路１６５は、デジタル処理部１５１に電圧検出部１３から検出信号が入力されると、Ｉ成分送信信号及びＱ成分送信信号のデジタルフィルタ１６６への入力を停止する。具体的には、例えば、送信信号停止回路１６５は、ウィンドウ整形部１６４からのＩ成分送信信号及びＱ成分送信信号の代わりに、信号レベルが零である信号（以下、「零信号」と呼ぶ）をデジタルフィルタ１６６に入力する。これにより、デジタルフィルタ１６６の直前において当該入力が停止される。その結果、基地局１からの送信信号の送信が停止される。通信部１５では、デジタルフィルタ１６６へのＩ成分送信信号及びＱ成分送信の入力を停止することによって、送信停止動作が行なわれている。
【００３９】
デジタルフィルタ１６６は、送信信号停止回路１６５からのＩ成分送信信号及びＱ成分送信信号のそれぞれに対して、高周波成分を除去するローパスフィルタ処理を行う。これにより、Ｉ成分送信信号及びＱ成分送信信号から不要な周波数成分が除去される。デジタルフィルタ１６６は、ローパスフィルタ処理後のＩ成分送信信号及びＱ成分送信信号を直交変調部１６７に出力する。
【００４０】
直交変調部１６７は、デジタルフィルタ１６６からのＩ成分送信信号及びＱ成分送信信号に対して直交変調を行う。具体的には、直交変調部１６７は、Ｉ成分送信信号に余弦波信号を掛けるとともに、Ｑ成分送信信号に正弦波信号を掛けてから、それらを合成する。直交変調部１６７は、得られた信号を図１に示すＤ／Ａ変換器１５３に出力する。
【００４１】
図４は、以上のように構成される基地局１の動作を示すフローチャートである。図２及び図４を用いて、バックアップ電圧がしきい値Ｖｔｈまで低下する際の基地局１での一連の動作について説明する。
【００４２】
時刻Ｔ１において交流電源６０からの電力供給が停止すると（ステップｓ１）、それ以降、接続点Ａの電圧はバックアップ電圧となり、時間の経過とともに低下していく。
【００４３】
その後、時刻Ｔ２において、バックアップ電圧がしきい値Ｖｔｈ以下になると、電圧検出部１３は検出信号を制御部１６及びデジタル処理部１５１に出力する（ステップｓ２）。
【００４４】
制御部１６に電圧検出部１３からの検出信号が入力されると、バックアップ処理部１６ａが、課金情報などのデータを、不揮発性の記憶部１４に記憶するバックアップ動作を行う（ステップｓ３）。これにより、バックアップ電圧が低くなって、基地局１が適切に動作できなくなる前に必要なデータを保存することができる。
【００４５】
一方で、電圧検出部１３からの検出信号がデジタル処理部１５１に入力されると、通信部１５では送信停止動作が行なわれる（ステップｓ４）。具体的には、デジタル処理部１５１が、デジタルフィルタ１６６の直前において当該デジタルフィルタ１６６への送信信号の入力を停止する。こうして、バックアップ電圧がしきい値Ｖｔｈ以下になると、増幅器１５４ａへの送信信号の入力が停止することから、バックアップ電圧が低くなることにより電源電圧が低下した増幅器１５４ａが誤動作して、不要な信号を出力してしまうのを抑制することができる。さらに、バックアップ電圧が低くなった際に、増幅器１５４ａの電源電圧以上の信号が増幅器１５４ａに入力されるのを防止することができるため、増幅器１５４ａが故障するのを防止することができる。
【００４６】
ここで、デジタル処理部１５１がステップｓ４を行うと、デジタルフィルタ１６６の入力信号が急激に変化するため、当該入力信号は不要な高周波成分を多く含むことになる。しかし、当該入力信号がデジタルフィルタ１６６に入力されると、当該入力信号に含まれる不要な高周波成分がローパスフィルタ処理により除去される。これにより、増幅器１５４ａに不要な信号が入力されることを抑制することができる。したがって、送信信号の入力を停止することにより、無線部１５４から不要な信号が送信されることを抑制できるだけでなく、デジタルフィルタ１６６によっても、無線部１５４から不要な信号が送信されることを抑制できる。
【００４７】
本実施の形態では、電圧検出部１３が、制御部１６及び通信部１５のそれぞれに同じタイミングで検出信号を出力する。そのため、図４に示すように、通信部１５での送信停止動作（ステップｓ４）は、バックアップ処理部１６ａのバックアップ動作（ステップｓ３）と並行して行われる。つまり、デジタル処理部１５１は、バックアップ動作と並行して、デジタルフィルタ１６６への送信信号の入力を停止する。
【００４８】
その後、時刻Ｔ３において、バックアップ電圧が最低動作電圧Ｖｍｉｎまで低下し、その後、最低動作電圧Ｖｍｉｎよりも小さくなると、基地局１は適切に動作できなくなり、基地局１の機能は停止する（ステップｓ５）。
【００４９】
以上のような基地局１によれば、バックアップ電圧が低くなると、デジタルフィルタ１６６への送信信号の入力が停止されることから、バックアップ電圧が低くなった際に、増幅器１５４ａに送信信号が入力されることを停止することができる。よって、電源電圧が低くなった増幅器１５４ａから不要な信号が出力されることを抑制することができるとともに、当該増幅器１５４ａが故障することを防止できる。さらに、デジタルフィルタ１６６への送信信号の入力が停止されて、デジタルフィルタ１６６の入力信号が急激に変化して当該入力信号に不要な周波数成分が含まれる場合であっても、デジタルフィルタ１６６において当該周波数成分を除去することができる。したがって、送信信号の入力を停止することにより、無線部１５４から不要な信号が送信されることを抑制できるだけでなく、デジタルフィルタ１６６によっても、無線部１５４から不要な信号が送信されることを抑制できる。
【００５０】
なお、電圧検出部１３から出力された検出信号が直接デジタル処理部１５１に入力される代わりに、図５に示されるように、当該検出信号が入力された制御部１６が当該検出信号をデジタル処理部１５１に出力する構成態様であっても、同様の効果を得ることができる。
【００５１】
しかし、電圧検出部１３が、バックアップ電圧がしきい値Ｖｔｈ以下になったことを検出した際には、制御部１６は、必要なデータをできるだけ早く記憶部１４に記憶する必要があることから、バックアップ処理部１６ａにおいてバックアップ動作をできるだけ早く完了する必要がある。そうすると、制御部１６は、バックアップ動作が完了した後に、デジタル処理部１５１に検出信号を出力することになり、検出信号がデジタル処理部１５１に入力されるタイミングが遅くなってしまう。その結果、増幅器１５４ａへの送信信号の入力が停止する前に、バックアップ電圧が低くなりすぎて、増幅器１５４ａが誤動作等してしまう可能性がある。あるいは、この現象の発生を防ぐために、バックアップ電源１２の容量を大きくする必要がある。
【００５２】
以上のことから、電圧検出部１３から出力される検出信号を直接デジタル処理部１５１に入力し、図４に示されるように、デジタル処理部１５１が、バックアップ処理部１６ａのバックアップ動作と並行して、デジタルフィルタ１６６への送信信号の入力を停止することが望ましい。この場合には、バックアップ電圧が低くなった際に、増幅器１５４ａに対する送信信号の入力をすぐに停止することができる。したがって、電源電圧が低くなった増幅器１５４ａから不要な信号が出力されたり、当該増幅器１５４ａが故障したりすることを確実に防止でき、バックアップ電源１２の容量を小さくすることができる。
【００５３】
また、送信信号停止回路１６５がデジタルフィルタ１６６への送信信号の入力を停止する代わりに、制御部１６に電圧検出部１３から検出信号が入力される場合に、送信信号生成部１６ｂが送信信号を生成しないとすることにより、デジタルフィルタ１６６への送信信号の入力を停止しても、同様の効果を得ることができる。この場合には、制御部１６からデジタル処理部１５１に零信号が入力される。
【００５４】
また、送信信号停止回路１６５は、デジタルフィルタ１６６の前段であれば、デジタル処理部１５１のどこに設けても良い。例えば、図６示されるように、ＩＦＦＴ処理部１６２の直前に送信信号停止回路１６５を設けても良い。この場合には、デジタル処理部１５１に検出信号が入力されると、送信信号停止回路１６５が、Ｉ成分サブキャリア信号群及びＱ成分サブキャリア信号郡のＩＦＦＴ処理部１６２への入力を停止することによって、デジタルフィルタ１６６への送信信号の入力が停止される。また図７に示されるように、送信信号停止回路１６５をＩＦＦＴ処理部１６２とＧＩ付加部１６３との間に設けても良い。この場合には、デジタル処理部１５１に検出信号が入力されると、送信信号停止回路１６５が、Ｉ成分送信信号及びＱ成分送信信号のＧＩ付加部１６３への入力を停止することによって、デジタルフィルタ１６６への送信信号の入力が停止される。また、送信信号停止回路１６５をＧＩ付加部１６３とウィンドウ整形部１６４との間に設けても良い。
【００５５】
なお、ＩＦＦＴ処理部１６２やウィンドウ整形部１６４などの各処理部が信号に処理を施す際には、多少なりとも時間がかかるため、各処理部においては、入力信号が変化してから出力信号が変化するまで多少時間がかかる。したがって、図６，７に示される構成において、デジタルフィルタ１６６の前段の処理部に対する送信信号の入力を停止する際には、検出信号がデジタル処理部１５１に入力されてから、増幅器１５４ａへの送信信号の入力が停止されるまでに多少時間がかかる。そのため、増幅器１５４ａへの送信信号の入力が停止する前に、バックアップ電圧が低くなりすぎて、増幅器１５４ａが誤動作等してしまう可能性がある。あるいは、この現象の発生を防ぐために、バックアップ電源１２の容量を大きくする必要がある。制御部１６が送信信号を生成しないことにより、デジタルフィルタ１６６への送信信号の入力を停止する場合も同様である。
【００５６】
これに対して、図３に示されるように、送信信号停止回路１６５をデジタルフィルタ１６６の直前に設けて、デジタルフィルタ１６６の直前においてデジタルフィルタ１６６への送信信号の入力を停止する場合には、バックアップ電圧が低くなった際に、増幅器１５４ａに対する送信信号の入力をすぐに停止することができる。したがって、電源電圧が低くなった増幅器１５４ａから不要な信号が出力されたり、当該増幅器１５４ａが故障したりすることをより確実に防止できるため、バックアップ電源１２の容量を小さくすることができる。
【００５７】
また、電圧検出部１３がバックアップ電圧がしきい値Ｖｔｈ以下になったことを検出した場合には、制御部１６においてバックアップ動作に関与しない部分、例えばＤＳＰの一部をスタンバイ状態にして、制御部１６の消費電力を低減しても良い。スタンバイ状態の回路においては、交流電源６０からの電力が復帰した際にすぐに動作を開始することができるようになっている。
【符号の説明】
【００５８】
１  基地局
１２  バックアップ電源
１３  電圧検出部
１４  記憶部
１６ａ  バックアップ処理部
１６ｂ  送信信号生成部
１５１  デジタル処理部
１５３  Ｄ／Ａ変換器
１５４  無線部
１５４ａ  増幅器
１６６  デジタルフィルタ
【図１】
2011124888.tif 000003
【図２】
2011124888.tif 000004
【図３】
2011124888.tif 000005
【図４】
2011124888.tif 000006
【図５】
2011124888.tif 000007
【図６】
2011124888.tif 000008
【図７】
2011124888.tif 000009